(57)【要約】【課題】車体における水垢等による汚れを防止し、美観を維持する。【解決手段】レインガター１，２は、板状の本体３，２０と、本体３，２０の裏面に設けられ、本体３，２０をドアパネル４５の外面上に取り付け可能な取付部と、本体３，２０の表面側に設けられ、表面側を流下する雨水を所定方向へ誘導可能な排水路８，２４とを含んでなり、ドアパネル４５に取り付けた状態で、本体３，２０の表面側を流下する雨水を排水路８，２４によってドアパネル４５の外面に付着しない領域へ誘導可能となっている。【選択図】図１
2019182103.tif 000002
【特許請求の範囲】
【請求項１】
板状の本体と、
前記本体の一方の面に設けられ、前記本体を自動車の外面上に取り付け可能な取付部と、
前記本体の他方の面側に設けられ、前記他方の面側を流下する水を所定方向へ誘導可能な排水路と、
を含んでなるレインガター。
【請求項２】
前記排水路は、前記自動車の外面へ取り付けた際に前記外面から離れる方向へ突出すると共に、前記他方の面に沿って前記本体の左右何れか一方側へ下り傾斜して形成されることを特徴とする請求項１に記載のレインガター。
【請求項３】
前記排水路は、前記本体の下端に設けた帯状の折り返し片によって形成されることを特徴とする請求項２に記載のレインガター。
【請求項４】
前記排水路は、入口を前記本体の上端に開口させて前記本体の内部に貫通形成されることを特徴とする請求項１に記載のレインガター。
【請求項５】
板状の本体と、前記本体の一方の面に設けられ、前記本体を自動車の外面上に取り付け可能な取付部と、前記本体の他方の面側に設けられ、前記他方の面側を流下する水を所定方向へ誘導可能な排水路と、を含んでなるレインガターの取付構造であって、
前記本体が、前記自動車の外面上へ前記取付部を利用して取り付けられて、前記本体の前記他方の面側を流下する水が前記排水路によって前記外面に付着しない領域へ誘導可能となっていることを特徴とするレインガターの取付構造。
【発明の詳細な説明】
【技術分野】
【０００１】
本発明は、自動車の外面に取り付けられるレインガターと、そのレインガターを自動車の外面に取り付ける取付構造とに関する。
【背景技術】
【０００２】
自動車には、車体にかかる雨水対策として、サイドドアの窓枠にサイドバイザーを設けることがよく行われている。また、例えば特許文献１には、車体に沿って設けられたドリップモールの下端に、ドリップモールに案内された雨水を後方下側へ向けて排水するドリップエンドキャップを設けたドリップモールエンド構造が開示されている。
【先行技術文献】
【特許文献】
【０００３】
【特許文献１】特開２０１０−１９５０７３号公報
【発明の概要】
【発明が解決しようとする課題】
【０００４】
しかし、特許文献１に例示されるドリップモールエンド構造は、車体のフロントピラーに沿って配設されたドリップモールからの雨水処理を行うもので、ドアミラーやドアハンドルから垂れ落ちる雨水の処理を行うものでない。よって、ドアミラーやドアハンドルから雨水が垂れ落ちて自動車の外面を伝うことで水垢等の汚れが生じ、美観を損ねる原因となっていた。
【０００５】
そこで、本発明は、ドアミラーやドアハンドル周辺といった自動車の外面における水垢等による汚れを防止し、美観を維持することができるレインガター及びその取付構造を提供することを目的としたものである。
【課題を解決するための手段】
【０００６】
上記目的を達成するために、請求項１に記載の発明は、板状の本体と、本体の一方の面に設けられ、本体を自動車の外面上に取り付け可能な取付部と、本体の他方の面側に設けられ、他方の面側を流下する水を所定方向へ誘導可能な排水路と、を含んでなることを特徴とする。
請求項２に記載の発明は、請求項１の構成において、排水路は、自動車の外面へ取り付けた際に外面から離れる方向へ突出すると共に、他方の面に沿って本体の左右何れか一方側へ下り傾斜して形成されることを特徴とする。
請求項３に記載の発明は、請求項２の構成において、排水路は、本体の下端に設けた帯状の折り返し片によって形成されることを特徴とする。
請求項４に記載の発明は、請求項１の構成において、排水路は、入口を本体の上端に開口させて本体の内部に貫通形成されることを特徴とする。
上記目的を達成するために、請求項５に記載の発明は、板状の本体と、本体の一方の面に設けられ、本体を自動車の外面上に取り付け可能な取付部と、本体の他方の面側に設けられ、他方の面側を流下する水を所定方向へ誘導可能な排水路と、を含んでなるレインガターの取付構造であって、
本体が、自動車の外面上へ取付部を利用して取り付けられて、本体の他方の面側を流下する水が排水路によって外面に付着しない領域へ誘導可能となっていることを特徴とする。
ここで「自動車の外面」とは、各ドアパネル、ランプ（ライト）カバー、給油口、外装品等も含み、水垢等の汚れが生じる箇所であれば取り付ける箇所は限定されない。
また、「外面に付着しない領域」とは、レインガターが取り付けられる自動車の外面との交差方向で当該外面から外側へ離れた領域の他、当該外面に沿った自動車の前後或いは左右方向の端縁領域も含む。
【発明の効果】
【０００７】
請求項１及び５に記載の発明によれば、自動車の外面に取り付けた状態で、本体を流下する水を排水路によって自動車の外面に付着しない領域（端縁領域を含む）へ誘導可能となっているので、ドアミラーやドアハンドル周辺といった自動車の外面における水垢等による汚れを防止でき、美観を維持することができる。
請求項２に記載の発明によれば、上記効果に加えて、自動車の外面から離れる方向へ突出して下り傾斜する排水路の採用により、本体を流下する水を自動車の外面にかからない位置へ効率よく誘導することができる。
請求項３に記載の発明によれば、上記効果に加えて、排水路を折り返し片によって形成するので、排水路が簡単に形成可能となる。
請求項４に記載の発明によれば、上記効果に加えて、本体の内部に排水路を貫通形成したことで、水が風等で飛散しにくくなり、自動車の外面にかからない位置へ水を効率よく誘導することができる。
【図面の簡単な説明】
【０００８】
【図１】レインガターを取り付けた自動車の外観を示す説明図である。
【図２】（Ａ）は前側のレインガターの斜視図、（Ｂ）は後側のレインガターの斜視図である。
【図３】前側のレインガターの取付状態及び排水作用を示す説明図である。
【図４】後側のレインガターの取付状態及び排水作用を示す説明図である。
【図５】前側のレインガターの変更例の取付状態及び排水作用を示す説明図である。
【図６】（Ａ）（Ｂ）はそれぞれ前側のレインガターの変更例の斜視図である。
【図７】（Ａ）（Ｂ）はそれぞれ前側のレインガターの変更例の斜視図である。
【図８】（Ａ）〜（Ｃ）はそれぞれ前側のレインガターの変更例の斜視図である。
【図９】（Ａ）（Ｂ）はそれぞれ後側のレインガターの変更例の斜視図である。
【図１０】（Ａ）〜（Ｃ）はそれぞれ後側のレインガターの変更例の斜視図である。
【発明を実施するための形態】
【０００９】
以下、本発明の実施の形態を図面に基づいて説明する。
図１は、レインガター１，２を取り付けた自動車４０の外観を示す説明図で、前側のレインガター１は、ボディ４１の前側ドア４２におけるドアミラー４３の下側に取り付けられ、後側のレインガター２は、ドアハンドル４４の下側に取り付けられている。
まず、前側のレインガター１は、図２（Ａ）にも示すように、後方へ行くに従って上下幅が狭くなる三角形状の板状体である本体３を有する。この本体３は合成樹脂の成形品で、一方の面である裏面には、複数の両面接着テープ５，５が貼着されてドアパネル４５へ接着可能な取付部４が形成されている。
【００１０】
本体３の上端縁は、前側ドア４２のドアパネル４５の上端に沿って前後方向に延びる直線状で、全長に亘って内側へ折り返される係止部６が形成されている。また、本体３の前端縁は、ドアパネル４５の前端に沿って上下方向へ延びる直線状に形成されている。
そして、本体３の下端縁は、前端縁の下端から後方へ行くに従って上昇して上端縁の後端に達する緩やかなカーブで形成されて、当該下端縁には、全長に亘って帯状の折り返し片７が外向きに形成されている。この折り返し片７により、他方の面である本体３の表面側には、本体３の上端縁後端から前端縁下端まで折り返し片７上を連続状に下り傾斜する排水路８が形成される。
【００１１】
一方、後側のレインガター２は、図２（Ｂ）に示すように、ドアハンドル４４が設けられるドアパネル４５の楕円状凹部４６の下側形状に沿って湾曲する三角形状の板状体である本体２０を有する。この本体２０も合成樹脂の成形品で、一方の面である裏面には、複数の両面接着テープ２２，２２が貼着されてドアパネル４５へ接着可能な取付部２１が形成されている。
本体２０の上端縁は、略全長が楕円状凹部４６の下縁に沿って湾曲し、本体２０の後端縁は、ドアパネル４５の後端に沿って上下方向へ延びる直線状に形成されている。
そして、本体２０の下端縁は、上端縁の前端から後方へ行くに従って下降して後端縁の下端に達する緩やかなカーブで形成されて、当該下端縁には、全長に亘って帯状の折り返し片２３が外向きに形成されている。この折り返し片２３により、他方の面である本体２０の表面側には、本体２０の上端縁前端から後端縁下端まで折り返し片２３上を連続状に下り傾斜する排水路２４が形成される。
【００１２】
以上の如く構成されたレインガター１，２は、まずドアパネル４５の前側では、図３に示すように、ドアミラー４３の下側でレインガター１の本体３を、上端縁をドアパネル４５の上端に、前端縁をドアパネル４５の前端にそれぞれ合わせた位置で、取付部４によってドアパネル４５の外面に接着する。すると、ドアミラー４３の基端下方に折り返し片７が上下方向でオーバーラップする位置で本体３が固定される。
一方、ドアパネル４５の後側では、図４に示すように、レインガター２の本体２０を、上端縁をドアパネル４５の楕円状凹部４６の下縁に、後端縁をドアパネル４５の後端にそれぞれ合わせた位置で、取付部２１によってドアパネル４５の外面に接着する。すると、楕円状凹部４６の下方に折り返し片２３が上下方向でオーバーラップする位置で本体２０が固定される。
このようにレインガター１，２の本体３，２０を、ドアパネル４５の形状に沿う三角形状に形成することで、自動車４０のデザインを邪魔することなく外面に取り付けることができる。
【００１３】
よって、ドアミラー４３から垂れ落ちた雨水は、図３に矢印で示すように、レインガター１の本体３の表面を伝って折り返し片７に受け止められ、そのまま排水路８を通ってドアパネル４５から離れる前端縁に誘導されて、折り返し片７の前端からドアパネル４５とボディ４１との間を伝って下方へ排水される。このため、ドアミラー４３から垂れ落ちた雨水がドアパネル４５の表面を流れる量が少なくなり、水垢等の汚れが生じにくくなる。
また、ドアハンドル４４から垂れ落ちた雨水は、図４に矢印で示すように、楕円状凹部４６からレインガター２の本体２０の表面を伝って折り返し片２３に受け止められ、そのまま排水路２４を通ってドアパネル４５から離れる後端縁に誘導されて、折り返し片２３の後端からドアパネル４５と後側ドア４７との間を伝って下方へ排水される。このため、ドアハンドル４４から垂れ落ちた雨水がドアパネル４５の表面を流れる量が少なくなり、水垢等の汚れが生じにくくなる。
【００１４】
このように、上記形態のレインガター１，２及びその取付構造によれば、板状の本体３，２０と、本体３，２０の裏面に設けられ、本体３，２０をドアパネル４５の外面上に取り付け可能な取付部４，２１と、本体３，２０の表面側に設けられ、表面側を流下する雨水を所定方向へ誘導可能な排水路８，２４とを含んでなり、ドアパネル４５に取り付けた状態で、本体３，２０の表面側を流下する雨水を排水路８，２４によってドアパネル４５の外面に付着しない領域（ここでは前後方向の端縁領域）へ誘導可能となっているので、ドアミラー４３やドアハンドル４４周辺の水垢等による汚れを防止でき、美観を維持することができる。
【００１５】
特にここでは、排水路８，２４を、ドアパネル４５の外面へ取り付けた際に当該外面から離れる方向へ突出すると共に、表面に沿ってドアパネル４５の前後何れか一方側へ下り傾斜して形成しているので、本体３，２０を流下する雨水をドアパネル４５にかからない位置へ効率よく誘導することができる。
また、排水路８，２４は、本体３，２０の下端に設けた帯状の折り返し片７，２３によって形成されるので、排水路８，２４が簡単に形成可能となる。
さらに、取付部４，２１が取り付けられる自動車４０の外面を、ドアミラー４３及びドアハンドル４４の下側としているので、雨水等が垂れやすいドアミラー４３及びドアハンドル４４の下側での水垢等による汚れを好適に防止可能となる。
【００１６】
なお、上記形態では、レインガターを合成樹脂の成形品としているが、材質や厚み、硬度等は上記形態に限らない。例えば樹脂製や金属製の薄いシート状やフィルム状としてもよいし、軟質や硬質の材料で形成してもよい。
また、前側ドアへの取付を例として説明しているが、自動車の外面であって、水垢等の汚れが生じる箇所であれば取り付ける箇所は前側ドアに限らない。
さらに、排水路の構造も上記形態に限らず、例えば図５に示すレインガター１Ａのように、折り返し片７Ａを後方から前方へ行くに従って徐々に幅広となるように形成し、折り返し片７Ａの前端に、前上り傾斜するせき止め部１０を形成することもできる。この場合、折り返し片７Ａには、矢印で示すように、ドアミラー４３から流れ落ちた雨水が折り返し片７Ａに沿って前端へ流れた後、せき止め部１０でせき止められてドアパネル４５の外方へ誘導され、折り返し片７Ａの外側から流れ落ちる排水路８Ａが形成される。
【００１７】
このように幅広の排水路８Ａを形成すれば、雨水がドアパネル４５から左右方向で外側へ離れた位置で流れ落ちることになってドアパネル４５にかかりにくくなり、水垢等の汚れを効果的に防止することができる。
なお、この場合、折り返し片７Ａは本体３の前端まで形成せず、ドアミラー４３の真下よりやや前方の中間部位までとして、当該中間部位に設けたせき止め部１０で外側へ導くようにしてもよい。また、図３，４で示した前端又は後端まで延びる折り返し片の中間部位に１又は複数のせき止め部を設けてもよい。
【００１８】
さらに、排水路は、折り返し片による形成に限らず、例えば図６に示すレインガター１Ｂのように、四角形状の本体３の下側部分を肉厚とし、肉厚部分１１の上面を傾斜させて排水路８Ｂを形成することもできる。なお、図６（Ａ）は排水路８Ｂを本体３の中央部分で直線状に形成した例、図６（Ｂ）は排水路８Ｂを本体３の上端縁後端から前端縁下端まで湾曲状に形成した例となっている。
また、図示しないが、肉厚部分における本体の厚さを抑えるために、本体側を排水路に沿って凹溝状等に削った（抉った）形状とすることもできる。この場合、肉厚部分の上面は、厚み方向で傾く傾斜面として本体側で削った部分と連通させてもよいし、厚み方向で水平となる平面として本体側で削った部分と連通させてもよい。さらに、肉厚部分の上面を凹曲面として本体側で削った部分と連通させてもよい。
加えて、図７（Ａ）に示すレインガター１Ｃのように、下側部分でなく本体３の中間部位に膨出部１２を形成して膨出部１２の上面に排水路８Ｃを形成することもできる。本体３も三角形状や四角形状に限らず、例えば図７（Ｂ）に示すレインガター１Ｄのように、楕円形や長円形、円形等の他の形状としてもよい。この図では本体３の下端縁に形成した折り返し片７Ｄによって排水路８Ｄを形成している。
【００１９】
そして、排水路は、本体の表面側への形成に限らず、本体の表面に別体の排水路形成部材を取り付ける等して本体の内部へ貫通形成することもできる。図８はその例を示すもので、図８（Ａ）に示すレインガター１Ｅは、外面を平面とした三角形状の本体３に、略同形状で上端と下端とが開口し、前端と後端とが本体３に接続される半漏斗状の排水路形成部材１３を取り付けて、上端に開口する入口１３ａから入り込んだ雨水を、前側下端に開口する出口１３ｂから排出する排水路８Ｅを貫通形成したものである。
【００２０】
また、図８（Ｂ）に示すレインガター１Ｆは、下端がカーブする三角形状の本体３の下端に沿って、半筒状の排水路形成部材１４を取り付けて、ドアミラー４３の真下に位置させた上端の入口１４ａから入り込んだ雨水を、前側下端の出口１４ｂから排出する排水路８Ｆを形成したものである。この構造では、排水路形成部材１４の外表面上側も、雨水を前端側或いは外側へ誘導する排水路８Ｆとして機能する。
さらに、図８（Ｃ）に示すレインガター１Ｇは、直線状とした本体３の下端に、上端から下端へ行くに従って徐々に縮径する半筒テーパ状の排水路形成部材１５を設けて、入口１５ａから出口１５ｂに達する排水路８Ｇを形成したものである。
【００２１】
このように排水路８Ｅ〜８Ｇを、入口１３ａ，１４ａ，１５ａを本体３の上端に開口させて本体３の内部に貫通形成すれば、雨水が風等で飛散しにくくなり、ドアパネル４５にかからない位置へ雨水を効率よく誘導することができる。
なお、排水路形成部材は複数のパーツから形成してもよいし、逆にこのように分割せずに、ブロック状の１つの本体に排水路を貫通形成してもよい。
【００２２】
一方、ドアハンドル４４側に設けるレインガター２においても種々の形状変更は可能である。
例えば図９（Ａ）に示すレインガター２Ａのように、本体２０の下側部分を肉厚とし、肉厚部分２５の上面を湾曲形成することで排水路２４Ａを形成することもできる。また、図９（Ｂ）に示すレインガター２Ｂのように、肉厚部分２５を下方へ行くほど厚みが大きくなるように形成して、肉厚部分２５の上面に、後方へ行くに従って幅広となる排水路２４Ｂを形成することもできる。
【００２３】
そして、図１０は、本体の内部に排水路を貫通形成した例を示すもので、図１０（Ａ）に示すレインガター２Ｃは、楕円状凹部４６に沿って湾曲する本体２０の上端に、厚み方向の中央が谷部２６ａとなる横断面Ｖ字状の受け面２６を形成し、受け面２６の底部前側で谷部２６ａよりも内側に、受け面２６に入口２７が開口し、本体２０内で後方へ延びて本体２０の後端に出口２８を開口させた排水路２４Ｃを貫通形成している。
図１０（Ｂ）に示すレインガター２Ｄは、横断面を平面とする受け面２６に入口２７が開口し、本体２０内で後方へ延びて本体２０の後端に出口２８を開口させた排水路２４Ｄを貫通形成している。
図１０（Ｃ）に示すレインガター２Ｅは、受け面２６の横断面を湾曲面とした例を示しているが、ここでの排水路２４Ｅも、本体２０内で後方へ延びて本体２０の後端に出口２８を開口させている。なお、出口は前端でもよいし両方にあってもよい。
【００２４】
その他、排水路の形態はこれら以外にも適宜設計変更可能で、本体の表面側に形成される排水路と本体に貫通形成される排水路とを併設することもできる。
【符号の説明】
【００２５】
１，２・・レインガター、３，２０・・本体、４，２１・・取付部、７，７Ａ，７Ｄ，２３・・折り返し片、８，８Ａ〜８Ｇ，２４，２４Ａ〜２４Ｄ・・排水路、１０・・せき止め部、１１，２５・・肉厚部分、１２・・膨出部、１３〜１５・・排水路形成部材、４０・・自動車、４１・・ボディ、４２・・前側ドア、４３・・ドアミラー、４４・・ドアハンドル、４５・・ドアパネル、４６・・楕円状凹部。
【図１】
2019182103.tif 000003
【図２】
2019182103.tif 000004
【図３】
2019182103.tif 000005
【図４】
2019182103.tif 000006
【図５】
2019182103.tif 000007
【図６】
2019182103.tif 000008
【図７】
2019182103.tif 000009
【図８】
2019182103.tif 000010
【図９】
2019182103.tif 000011
【図１０】
2019182103.tif 000012